(57)【要約】【課題】より効率がよく清浄化が行える乗客搬送装置用清浄装置及びその方法を提供する。【解決手段】乗客搬送装置内の清浄化のために、乗客搬送装置１の光触媒２ａが塗布された床面２に、水を噴霧する水噴霧手段４１，４２，４３，４４，４５と、水が噴霧された上記床面に紫外線を照射する複数の紫外線ＬＥＤ５１を光源とする紫外線照射手段５１，５２と、上記水噴霧手段と紫外線照射手段との動作を制御する清浄化動作制御手段７１と、を備えた。また乗客搬送装置１内に換気手段をさらに備え、上記清浄化動作制御手段が、水噴霧及び紫外線照射後に上記換気手段を駆動させて上記床面を乾燥させる。【選択図】図２
2007254102.tif 000002
【特許請求の範囲】
【請求項１】
乗客搬送装置内の清浄化のために、乗客搬送装置の光触媒が塗布された床面に、水を噴霧する水噴霧手段と、水が噴霧された上記床面に紫外線を照射する複数の紫外線ＬＥＤを光源とする紫外線照射手段と、上記水噴霧手段と紫外線照射手段との動作を制御する清浄化動作制御手段と、を備えたことを特徴とする乗客搬送装置用清浄装置。
【請求項２】
上記水噴霧手段と紫外線照射手段が、上記床面近傍の上記乗客搬送装置の側面から水噴霧と紫外線照射を行うように設けられたことを特徴とする請求項１に記載の乗客搬送装置用清浄装置。
【請求項３】
上記乗客搬送装置内に換気手段をさらに備え、上記清浄化動作制御手段が、水噴霧及び紫外線照射後に上記換気手段を駆動させて上記床面を乾燥させることを特徴とする請求項１又は２に記載の乗客搬送装置用清浄装置。
【請求項４】
上記乗客搬送装置がエレベータのかご室であることを特徴とする請求項１ないし３のいずれか１項に記載の乗客搬送装置用清浄装置。
【請求項５】
乗客搬送装置内の清浄化のために、乗客搬送装置の光触媒が塗布された床面に水を噴霧する工程と、水が噴霧された上記床面に紫外線を照射する工程と、水噴霧と紫外線照射後に上記床面上の水を除去する行程と、を備えたことを特徴とする乗客搬送装置用清浄方法。
【発明の詳細な説明】
【技術分野】
【０００１】
この発明は、エレベータのかご室、ケーブルカー、電車の車両等の乗客を搬送する乗客搬送装置内の空気清浄化、抗菌、汚れ付着防止、洗浄の容易化を実現する乗客搬送装置用清浄装置及びその方法に関する。
【背景技術】
【０００２】
従来、エレベータのかご室、索道、ケーブルカーを構成する壁材、内部、外部の機器、設置品に光触媒を塗布することにより、空気清浄化、抗菌、汚れ付着防止、洗浄の容易化を可能にしたものがあった(例えば特許文献１参照)。
【０００３】
【特許文献１】特開２００１−３２８７８６号公報
【発明の開示】
【発明が解決しようとする課題】
【０００４】
しかしながら従来のこの種の装置では、光触媒に光触媒作用をもたらす光の光源として紫外線蛍光灯を使用しており、さらに紫外線蛍光灯は乗客搬送装置の天井等に設けられているために、効率が悪く、電気料金も高くなり、また、水を使用しないので、有機物質を分解するのに時間かかり、効率が悪いという課題があった。
【０００５】
この発明は、上記のような課題を解消するためになされたものであり、より効率がよく清浄化が行える乗客搬送装置用清浄装置及びその方法を提供することを目的とする。
【課題を解決するための手段】
【０００６】
この発明は、乗客搬送装置内の清浄化のために、乗客搬送装置の光触媒が塗布された床面に、水を噴霧する水噴霧手段と、水が噴霧された上記床面に紫外線を照射する複数の紫外線ＬＥＤを光源とする紫外線照射手段と、上記水噴霧手段と紫外線照射手段との動作を制御する清浄化動作制御手段と、を備えたことを特徴とする乗客搬送装置用清浄装置にある。
【発明の効果】
【０００７】
この発明では、より効率がよく清浄化が行える乗客搬送装置用清浄装置及びその方法を提供することができる。
【発明を実施するための最良の形態】
【０００８】
以下の説明では乗客搬送装置の一例としてエレベータのかご室の場合について説明する。
実施の形態１．
図１はこの発明の一実施の形態による乗客搬送装置用清浄装置の設置位置の一例を示す図である。乗客搬送装置用清浄装置１００の装置本体１００ａはエレベータのかご室１の床面２に水の噴霧や光の照射が可能なように設けられており、例えばかご室１の、乗場床３と反対側の奥側の側面(奥壁)下部に、床面２上に水の噴霧や光の照射が可能なように設けられている。そして床面２の表面には例えば酸化チタン等からなる光触媒２ａが塗布されている。またかご室１の天井には、かご室１内の換気のための換気扇等からなる換気装置６１が設けられている。
【０００９】
図２は図１の装置本体１００ａをより詳細に示す図である。水噴霧・紫外線照射部１０１には、かご室１の奥壁下部でかご室１内側に向いた中央と両側の３箇所に設けられた霧状の水(噴霧水ＭＷ)を発生するためのノズル４１、同様にかご室１内側に向いた紫外線波長の紫外線光ＵＶＬを発生する複数の紫外線ＬＥＤ５１、各ノズル４１に水を供給する配水管４２が設けられている。また水噴霧・紫外線照射部１０１上部には、水噴霧用の水タンク４５、ポンプ４３、ポンプ４３の駆動用のモータ４４、紫外線ＬＥＤ５１を発光させるためのＬＥＤ駆動部５２、及びこれらの制御を行う例えばコンピュータにより構成される清浄化動作制御部７１が設けられている。
【００１０】
そして装置本体１００ａは、水噴霧・紫外線照射部１０１の各紫外線ＬＥＤ５１及び各ノズル４１の部分は、それぞれ水噴霧、紫外線照射が可能なようにかご室１内側に露出しているが、その他の部分は奥壁の裏側に位置するように設けられる(図１参照)。
【００１１】
また図３は図１，２の乗客搬送装置用清浄装置の各部分の接続関係を示す図である。清浄化動作制御部７１には換気装置６１、モータ４４，ＬＥＤ駆動部５２が接続され、清浄化動作制御部７１の制御により換気装置６１による換気、モータ４４でポンプ４３を駆動して各ノズル４１から水を噴霧する水噴霧、及びＬＥＤ駆動部５２で各紫外線ＬＥＤ５１を発光させる紫外線照射が行われる。また清浄化動作制御部７１には、後述するエレベータ動作状態信号ＥＯＳが入力される。
【００１２】
なお、各ノズル４１，配水管４２，ポンプ４３，モータ４４，水タンク４５が水噴霧手段を構成し、各紫外線ＬＥＤ５１，ＬＥＤ駆動部５２が紫外線照射手段を構成し、清浄化動作制御部７１が清浄化動作制御手段を構成し、換気装置６１が換気手段を構成する。
【００１３】
図４はこの発明による乗客搬送装置用清浄装置の動作の一例を示す動作フローチャートであり、以下、これに従って動作を説明する。
【００１４】
まず、酸化チタン等からなる光触媒は紫外線を受けることにより、紫外線のエネルギにより光触媒作用と超親水性効果を生み出す。光触媒作用は、強力な酸化分解力を発生するもので、例えば酸化チタンからなる光触媒が光に当たると反応して空気中の水と酸素を分解し、表面に活性酸素(・ＯＨ＜水酸ラジカル＞、Ｏ２-＜スーパーオキサイドイオン＞)を生成し、活性酸素は細菌や雑菌、その他の汚れや臭いの原因となる様々な有機物、無機ガスを分解する有機物分解作用をもたらす。超親水性効果は、光触媒が紫外線エネルギを受けると光触媒作用(有機物分解作用)により、疎水性分子が水(Ｈ２Ｏ)と二酸化炭素(ＣＯ２)に分解され、化学吸着水(水酸基(ＯＨ))が露出し、露出した化学吸着水(水酸基(ＯＨ))に空気中の水蒸気が結合し、水が表面になじみ易い状態になり、水滴が付いても水の膜になじみ一様に広がる効果である。そしてこれらの光触媒作用及び超親水性効果により、空気清浄化、抗菌、汚れ付着防止、洗浄の容易化等がもたらされる。このためにかご室１の床面２上には光触媒２ａが塗布されている。
【００１５】
清浄化動作制御部７１は内蔵するタイマにより同様に内蔵されたメモリ(共に図示省略)に設定された動作開始時刻になったか否かを判定する。清浄化動作はエレベータが動作を停止している時間帯に行うため、例えば動作開始時刻を深夜１時、動作終了時刻を早朝５時としてメモリに設定しておく。そして深夜１時になると、清浄化動作制御部７１は動作を開始する(ステップＳ１)。
【００１６】
清浄化動作制御部７１は動作を開始すると、エレベータ動作状態信号ＥＯＳを監視し、エレベータが所定時間(例えば１０分間)の間、動作していないことを確認する(ステップＳ２)。確認がとれると、清浄化動作を開始する(ステップＳ３)。
【００１７】
清浄化動作では、清浄化動作制御部７１は水タンク４５の水を、モータ４４でポンプ４３を駆動して圧力を掛けて配水管４２を通じて３つの各ノズル４１より光触媒２ａを塗布した床面２上に噴霧水ＭＷとして噴霧させる。さらにＬＥＤ駆動部(回路)５２を制御して、光源である各紫外線ＬＥＤ５１から紫外線光ＵＶＬを発光させ、光触媒２ａを塗布した床面２上に照射する。この場合、水噴霧と紫外線照射を同時に行ってもよいし、水が噴霧された状態で床面２上に紫外線を照射するようにしてもよい。
【００１８】
このように水噴霧と紫外線照射を行うことで、上記光触媒作用と超親水性効果により、床面２上の有機物質の汚れや臭いが水と酸素に分解され、空気清浄化、抗菌、汚れ付着防止、洗浄の容易化等の効果がもたらされる。
【００１９】
そして清浄化動作開始から所定時間(例えば１時間)が経過すると、清浄化動作制御部７１は水噴霧と紫外線照射を終了させると共に、今度は換気装置６１を駆動させてかご室１内の換気を行って床面２を乾燥させる。そしてメモリに設定された動作終了時刻(例えば早朝５時)になると動作を終了する(ステップＳ４)。
【００２０】
以上のようにこの発明では、光触媒を塗布した床面上に紫外線を照射する光源として紫外線ＬＥＤを使用しているので、従来の蛍光灯に比べてより効率的(例えば４倍)であり、さらに紫外線ＬＥＤでかつ床面の近傍から紫外線を照射しているので、かご室の天井にある蛍光灯を光源とするのに比べて、電気料金を大幅に抑えることができる。さらに、水を噴霧することで、有機物質が水に溶けて超親水性の水になるので、短時間で上記作用効果がもたらされる。
【００２１】
なお乗客搬送装置用清浄方法として、水噴霧及び紫外線照射の後、換気装置で乾燥させる代わりに、床面上の水分を例えば人手により雑巾等で拭き取って除去するようにしてもよい。好ましくは、最初に、中性洗剤を付けた雑巾で床面２を拭き、次にきれいな水をつけた雑巾を良くしぼってから床面を拭く。この場合にも水を噴霧することで、有機物質が水に溶けて超親水性の水になるので、短時間で上記作用効果がもたらされる。さらに、紫外線照射の光源として紫外線ＬＥＤを使用すれば、上記と同様な効果が得られる。
【００２２】
また上記説明では、乗客搬送装置用清浄装置の装置本体の特に上記水噴霧手段と紫外線照射手段はかご室の乗場床と反対側の奥側(奥壁)の側面下部(床面近傍)に設けられているが、スペースがあればかご室内の奥壁の両側の側面のいずれか一方の側面下部でもよい。さらに、少なくともかご室の床面に水噴霧や紫外線照射が可能なように設けられているだけでも、相当の効果が得られる。
【００２３】
さらにこの発明はエレベータのかご室に限定されるものでなく、ケーブルカー、電車の車両等の乗客を搬送する乗客搬送装置全般に適用可能であり、同様な効果を奏する。
【図面の簡単な説明】
【００２４】
【図１】この発明の一実施の形態による乗客搬送装置用清浄装置の設置位置の一例を示す図である。
【図２】図１の装置本体をより詳細に示す図である。
【図３】図１，２の乗客搬送装置用清浄装置の各部分の接続関係を示す図である。
【図４】この発明による乗客搬送装置用清浄装置の動作の一例を示す動作フローチャートである。
【符号の説明】
【００２５】
１  かご室(乗客搬送装置)、２  床面、２ａ  光触媒、３  乗場床、４１  ノズル、４２  配水管、４３  ポンプ、４４  モータ、４５  水タンク、５１  紫外線ＬＥＤ、５２  ＬＥＤ駆動部、６１  換気装置、７１  清浄化動作制御部、１００  乗客搬送装置用清浄装置、１００ａ  装置本体、１０１  水噴霧・紫外線照射部、ＥＯＳ  エレベータ動作状態信号、ＭＷ  噴霧水、ＵＶＬ  紫外線光。
【図１】
2007254102.tif 000003
【図２】
2007254102.tif 000004
【図３】
2007254102.tif 000005
【図４】
2007254102.tif 000006